(57)【要約】【課題】前照灯ユニットに加えて補助光源ユニットを設けつつ小型化した車両用前照灯に関する。【解決手段】主光源５と、主投影レンズ９と、主投影レンズ９を支持する支持部材７と、主光源５の光Ｌ１１〜Ｌ１４を主反射面６ａで受けると共に反射光Ｌ１１〜Ｌ１４を主投影レンズ９に向けて出射する主反射鏡６と、を有する前照灯ユニット４を備えた車両用前照灯１において、支持部材７の内側における反射光Ｌ１１〜Ｌ１４の照射領域外の領域１５に補助光源ユニット１０を配置し、補助光源ユニット１０からの光Ｌ２を支持部材７の外側に通過させる光通過部１１を支持部材７に設けた。【選択図】図２
2018190633.tif 000002
【特許請求の範囲】
【請求項１】
主光源と、主投影レンズと、主投影レンズを支持する支持部材と、主光源の光を主反射面で受けると共に反射光を主投影レンズに向けて出射する主反射鏡と、を有する前照灯ユニットを備えた車両用前照灯において、
前記支持部材の内側における前記反射光の照射領域外の領域に補助光源ユニットを配置し、
前記補助光源ユニットからの光を前記支持部材の外側に通過させる光通過部を前記支持部材に設けたことを特徴とする車両用前照灯。
【請求項２】
前記支持部材の内側における前記反射光の照射領域外の領域は、前記主反射鏡の主反射面と前記主投影レンズとの間の対向領域の外側領域であることを特徴とする請求項１に記載の車両用前照灯。
【請求項３】
前記補助光源ユニットが、車両用前照灯の正面から見て前記主投影レンズの外周の外側に配置されたことを特徴とする請求項１または２に記載の車両用前照灯。
【請求項４】
前記光通過部は、前記支持部材の内外に向けられたインナーレンズであることを特徴とする請求項１から３のうちいずれかに記載の車両用前照灯。
【請求項５】
前記光通過部は、前記支持部材の内外に向けられた補助投影レンズであることを特徴とする請求項１から３のうちいずれかに記載の車両用前照灯。
【請求項６】
前記補助光源ユニット及び光通過部がコーナリングランプを形成することを特徴とする請求項１から５のうちいずれかに記載の車両用前照灯。
【請求項７】
前記補助光源ユニット及び光通過部がデイタイムランニングランプを形成することを特徴とする請求項１から６のうちいずれかに記載の車両用前照灯。
【発明の詳細な説明】
【技術分野】
【０００１】
前照灯ユニットに加えて補助光源ユニットを設けつつ小型化した車両用前照灯に関する。
【背景技術】
【０００２】
特許文献１には、アウターレンズとハウジングによって形成される灯室内にフォグランプ機能を有するプロジェクタ型の第１灯具ユニットと、ＤＲＬ（デイタイムランニングランプ）機能を有する第２灯具ユニットを上下にそれぞれ配列した車両用灯具が開示されている。
【先行技術文献】
【特許文献】
【０００３】
【特許文献１】特開２０１１−２５８２０号
【発明の概要】
【発明が解決しようとする課題】
【０００４】
特許文献１の車両用灯具においては、第１灯具に前照灯機能を持たせてロービーム用やハイビーム用の配光パターンを形成させる前照灯ユニットとし、かつ第２灯具にＤＲＬやコーナリングランプ機能を持たせた補助光源ユニットとすることにより、道路状況に応じて多様な配光パターンを表示可能な車両用前照灯として構成することが考えられる。
【０００５】
しかし、特許文献１の車両用灯具によって形成される車両用前照灯は、灯室内に第１灯具用とは別に第２灯具用の設置スペースを必要とするため、車両用前照灯が大型化する点で問題がある。
【０００６】
本願は、上記問題に鑑みて、前照灯ユニットに加えて補助光源ユニットを設けつつ小型化した車両用前照灯を提供するものである。
【課題を解決するための手段】
【０００７】
主光源と、主投影レンズと、主投影レンズを支持する支持部材と、主光源の光を主反射面で受けると共に反射光を主投影レンズに向けて出射する主反射鏡と、を有する前照灯ユニットを備えた車両用前照灯において、前記支持部材の内側における前記反射光の照射領域外の領域に補助光源ユニットを配置し、前記補助光源ユニットからの光を前記支持部材の外側に通過させる光通過部を前記支持部材に設けた。
【０００８】
（作用）補助光源ユニットが、主反射鏡による反射光を阻害することなく前照灯ユニットの支持部材の内側に配置されると共に光通過部を介して前照灯ユニットの外に主光源による配光パターンとは別の補助配光パターンを表示する。
【０００９】
車両用前照灯において、前記支持部材の内側における前記反射光の照射領域外の領域を前記主反射鏡の主反射面と前記主投影レンズとの間の対向領域の外側領域とした。
【００１０】
（作用）主光源を出射して主反射鏡の主反射面によって反射された反射光は、補助光源ユニットによって阻害されることなく主投影レンズに入射する。
【００１１】
車両用前照灯において、前記補助光源ユニットを車両用前照灯の正面から見て前記主投影レンズの外周の外側に配置した。
【００１２】
（作用）主光源を出射して主反射鏡の主反射面によって反射された反射光は、補助光源ユニットによって阻害されることなく主投影レンズに入射する。
【００１３】
車両用前照灯において、前記光通過部を前記支持部材の内外に向けられたインナーレンズとした。
【００１４】
（作用）補助光源ユニットから入射した光は、インナーレンズを介して前照灯ユニットの支持部材の外へ出射する。
【００１５】
車両用前照灯において、前記光通過部を前記支持部材の内外に向けられた補助投影レンズとした。
【００１６】
（作用）主投影レンズが補助光源ユニットから入射した光を制御しつつ前照灯ユニットの支持部材の外へ出射させる。
【００１７】
車両用前照灯において、前記補助光源ユニット及び光通過部によってコーナリングランプを形成した。
【００１８】
（作用）コーナリングランプが前照灯ユニットの一部として形成される。
【００１９】
車両用前照灯において、前記補助光源ユニット及び光通過部によってデイタイムランニングランプを形成した。
【００２０】
（作用）デイタイムランニングランプが前照灯ユニットの一部として形成される。
【発明の効果】
【００２１】
本願の車両用前照灯によれば、主光源による配光パターンの形成光を阻害しない領域からなる前照灯ユニット内の空きスペースに補助光源ユニットを配置することによって前照灯ユニットの外に別途補助光源ユニットを配置するスペースを確保する必要が無くなり、車両用前照灯を小型化することが出来る。
【００２２】
また、補助光源ユニットの光をインナーレンズを介して支持部材の外に出射させることによって前照灯ユニットの外観形状の見栄えが向上すると共に支持部材の内側に埃等が入りにくくなる。
【００２３】
また、補助光源ユニットからの出射光が主投影レンズで制御されることにより、補助光源ユニットによる配光パターン形態やインナーレンズそのものの発光態様が多種多様に実現される。
【００２４】
また、前照灯ユニットとは別に灯具ユニットを配置するスペースを確保しなくても、コーナリングランプ機能やデイタイムランニングランプ機能を有しかつ小型化された車両用前照灯が得られる。
【図面の簡単な説明】
【００２５】
【図１】第１実施例の車両用前照灯の正面図。
【図２】第１実施例の車両用前照灯を縦方向に切断した図１のＩ−Ｉ断面図。
【図３】第１実施例の車両用前照灯の補助光源ユニット近傍を横方向に切断した図２のＩＩ−ＩＩ断面図。
【図４】第１実施例のレンズホルダーの左側面図。
【図５】第１実施例の補助光源ユニットを縦方向に切断した図３のＩＩＩ−ＩＩＩ断面図。
【図６】第２実施例の車両用前照灯の正面図。
【図７】第２実施例の車両用前照灯を横方向に切断した図１のＩＶ−ＩＶ断面図。
【発明を実施するための形態】
【００２６】
以下、本発明の好適な実施形態を図１から図７に基づいて説明する。各図においては、車両用前照灯の各部や車両用前照灯の搭載車両のドライバーから見た道路の方向を（上方：下方：左方：右方：前方：後方＝Ｕｐ：Ｌｏ：Ｌｅ：Ｒｉ：Ｆｒ：Ｒｅ）として説明する。
【００２７】
まず、図１から図５によって車両（図示せず）に登載される第１実施例の車両用前照灯を説明する。図１及び図２に示される第１実施例の車両用前照灯１は、左側前照灯の一例を示すものであり、ランプボディ２と、前面カバー３と、前照灯ユニット４を備える。ランプボディ２は、車両の前方側に開口部を有し、前面カバー３は、透光性を有する樹脂やガラス等で形成され、ランプボディ２の開口部に取り付けられることによって内側に灯室Ｓを形成する。前照灯ユニット４は、主光源５，主反射鏡６、光通過部１１を有する支持部材７，シェード８、主投影レンズ９及び補助光源ユニット１０によって構成され、灯室Ｓの内側に配置される。
【００２８】
図２に示す主光源５は、ＬＥＤやレーザーダイオード等の発光素子によって構成され、主反射鏡６は、楕円形状に形成されて内側に主反射面６ａを有する。支持部材７は、前方から後方に傾斜する上面を有する主光源支持部７ａと、主光源支持部７ａの前方に段差状に突出したシェード支持部７ｂと、主光源支持部の基端から鉛直方向に伸びる板状の基礎板部７ｃと、保持板７ｄと、保持板７ｄに固定されるレンズホルダー７ｅと、保持板７ｄの外周を保持する保持アーム（７ｆ〜７ｉ）が設けられる
図２及び図３のレンズホルダー７ｅは、樹脂や金属によって円筒形に形成され、前端部７ｅ１の内周に後述する主投影レンズ９の保持溝７ｅ２を有し、後端にフランジ部７ｅ３を有する。レンズホルダー７ｅは、同じく樹脂や金属で形成された円板状の保持板７ｄの前面に固定される。保持板７ｄは、前後に貫通し、レンズホルダー７ｅの内側に挿通する光の通過孔７ｄ１を有する。
【００２９】
図２の支持部材７の基礎板部７ｃの上端と、シェード支持部７ｂの底部には、それぞれ前方に突出する保持アーム（７ｆ、７ｇ）が形成され、主光源支持部７ａ及びシェード支持部７ｂの左右側方（図示せず）には、基礎板部７ｃから前方に突出する図３の保持アーム（７ｈ，７ｉ）が設けられる。保持アーム（７ｆ〜７ｉ）の先端部の内側には、それぞれ保持板７ｄの保持溝（７ｊ，７ｋ，７ｍ，７ｎ）が設けられる。
【００３０】
図２の主光源支持部７ａの上面には、主光源５と、主光源５を主反射面６ａで取り囲みかつ主反射面６ａを前方に向けられた主反射鏡６が固定され、主反射鏡６は、主光源５から出射した光Ｌ１１〜Ｌ１４を主反射面６ａによって前方に反射する。シェード支持部７ｂには、シェード８が取り付けられる。
【００３１】
図２及び図３に示すシェード８は、直方体の板状に形成され、先端にカットオフライン形成部８ａを有し、基端部をシェード支持部７ｂの前端で左右に伸びる揺動軸８ｂに揺動自在に支持される。主投影レンズ９は、透明または半透明の樹脂やガラス等による円形の両凸レンズとして形成され、基端部の外周にフランジ部９ａを有し、フランジ部９ａを介してレンズホルダー７ｅの前端部７ｅ１の保持溝７ｅ２に固定される。主投影レンズ９を取り付けたレンズホルダー７ｅは、保持板７ｄを介して保持アーム（７ｈ〜７ｉ）の保持溝（７ｊ，７ｋ，７ｍ，７ｎ）に固定され、主投影レンズ９の後面である光入射面９ｂは、主反射鏡６の主反射面６ａに対向するように配置される。
【００３２】
図２及び図３のシェード８は、図示しないモーターなどにより、カットオフライン形成部８ａを上方に向けて立てられた第１位置Ｐｏ１（図２の実線部分）からカットオフライン形成部８ａを後方に向けてシェード支持部７ｂ上に寝かせられた第２位置Ｐｏ２（図２の二点鎖線部分）との間で変位可能に形成される。
【００３３】
図２及び図３のシェード８は、ハイビームとロービームの切替えに利用される可動シェードであり、第１位置Ｐｏ１に配置された場合において、主反射鏡６による反射光の照射範囲内に配置されて反射光の一部である光Ｌ１４を遮光して図示しないロービーム用配光パターンを表示し、第２位置Ｐｏ２に変位することによって主反射鏡６による反射光Ｌ１１〜Ｌ１４の全ての照射範囲から外れた位置に配置され、図示しないハイビーム用配光パターンを表示する。
【００３４】
図２の基礎板部７ｃは、後方に突設された左右２箇所のスクリュー固定部（７ｐ、右側の１つは図示せず）とそれらの中間位置から上方に設けられた球受部７ｑを有する。支持部材７を含む前照灯ユニット４は、ランプボディ２に回動自在に保持された左右一対のエイミングスクリュー（１２、右側の１つは図示せず）をスクリュー固定部（７ｐ、右側の１つは図示せず）に螺着され、かつランプボディ２に螺着されたヒッチボール１３のボール１３ａを球受部７ｑに装着されることでランプボディ２に対して傾動自在に支持される。灯室Ｓ内には、主投影レンズ９の周囲を前方から目隠しするエクステンションリフレクター１４が設けられる。
【００３５】
次に、図２から図５により補助光源ユニット１０と、光通過部１１について説明する。補助光源ユニット１０は、ＬＥＤやレーザーダイオードで形成された補助光源１０ａと、樹脂や金属で形成された板状の補助光源固定部１０ｂと、楕円形状の補助反射面１０ｄを有する補助反射鏡１０ｃと、樹脂や金属で形成されたユニット固定部１０ｅによって形成される。また光通過部１１は、透明または半透明の樹脂やガラス等で形成された補助投影レンズ１１ａと、支持部材７のレンズホルダー７ｅの内外に貫通するようにレンズホルダー７ｅの左側方に形成された固定孔１１ｂによって形成される。補助投影レンズ１１ａは、固定孔１１ｂに係合する形状を有する両凸レンズとして形成され、レンズホルダー７ｅの内外に向けて凸となるように固定孔１１ｂに固定される。
【００３６】
尚、本実施例では、レンズホルダー７ｅの固定孔１１ｂに両凸レンズからなる補助投影レンズ１１を固定することで光通過部１１を形成しているが、光通過部１１は、補助光源１０ａの光を通過させる際に制御をしないのであれば、固定孔１１ｂに補助投影レンズ１１ａを固定しないことで光通過孔として形成されても良い。また光通過部１１は、通過する光を制御せず、かつ固定孔１１ｂを塞いで埃等の侵入を防止するための目的等で形成するのであれば、両凸の補助投影レンズ１１ａの代わりに固定孔１１ｂに固定可能な単なる板状のインナーレンズとしても良い。
【００３７】
図５に示すように補助光源１０ａは、板状の補助光源固定部１０ｂの表面に固定され、補助反射鏡１０ｃもまた、補助反射面１０ｄで補助光源１０ａを取り囲むように補助光源固定部１０ｂの表面に固定される。ユニット固定部１０ｅは、柱状に形成されて補助光源固定部１０ｂの裏面に一体形成される。図２及び図５に示すように補助光源ユニット１０は、補助光源１０ａを下に向けた状態でユニット固定部１０ｅを介し、補助投影レンズ１１ａとほぼ同じ高さに位置するように支持部材７のレンズホルダー７ｅの内側の上部７ｅ４に固定される。その際、補助光源ユニット１０は、補助反射鏡１０ｃの補助反射面１０ｄを左斜め前方の補助投影レンズ１１ａに対向させるようにレンズホルダー７ｅの内側に固定される。
【００３８】
また、図２に示すように補助光源ユニット１０は、支持部材７の内側において、主反射鏡６の主反射面６ａと主投影レンズ９の光入射面９ｂとの間の対向領域、即ち、主光源５から出射して主反射鏡６によって反射された光Ｌ１１からＬ１４の通過する領域の外側に配置される。本実施例においては、主反射鏡６の上端部の前方かつレンズホルダー７ｅの内側において、一例として主反射面６ａの最下方位置Ｐ１で反射された光Ｌ１１よりも上方であり、かつ主反射面６ａの最上方位置Ｐ２で反射された光Ｌ１２よりも上方、即ち、前記対向領域の上端を形成する光Ｌ１１及び光Ｌ１２よりも上方の領域である外側領域１５に補助光源ユニット１０を配置している。その結果、補助光源ユニット１０は、主反射鏡６による反射光を一切遮ることなく支持部材７の内側に配置されることで、車両用前照灯１の灯室Ｓの容積をコンパクトにする。尚、補助光源ユニット１０は、図２に示すように一対のエイミングスクリュー（１２、一方は図示せず）を回動させることで前照灯ユニット４と一体になって傾動する。
【００３９】
図３及び図５に示すように、補助光源１０ａから出射した光Ｌ２は、補助反射鏡１０ｃの補助反射面１０ｄによって左斜め前方の補助投影レンズ１１ａに向けて反射される。反射光Ｌ２は、補助投影レンズ１１ａを透過することで屈折しながらレンズホルダー７ｅの外側に出射し、更に前面カバー３から車両用前照灯１の外側に出射して図示しない車両の左斜め前方に所定形状の配光パターンを形成する。本実施例において補助光源ユニット１０は、左側前照灯の左斜め前方に向けて車両の左斜め前方を照らす左コーナリングランプとして機能させている。尚、補助光源ユニット１０は、支持部材７のレンズホルダーの７ｅの内側から前面カバー３の外側に向けて主光源５による主となる配光パターンを補助する配光パターンを形成するものであればよいため、出射方向を主となる配光パターンと同様に前方に向けてデイタイムランニング用ランプ等として機能させても良い。
【００４０】
次に図６及び図７により、車両用前照灯の第２実施例を説明する。第２実施例の車両用前照灯２１は、左用の前照灯を示す一例であり、前照灯ユニット４’の支持部材７’のレンズホルダー２２の形態が第１実施例の支持部材７のレンズホルダー７ｅと異なり、かつ補助光源ユニット１０の代わりに補助光源ユニット（２５，２６）を設け、エクステンションリフレクター３１の形状を変更した他、第１実施例の車両用前照灯１と共通する構成を有する。
【００４１】
図７に示すレンズホルダー２２は、第１レンズホルダー２３と第２レンズホルダー２４によって形成される。第１レンズホルダー２３は、第１実施例のレンズホルダー７ｅとほぼ同径の円筒形状を有するが、第１実施例のレンズホルダー７ｅと異なり、先端部２３ａに保持溝ではなく、内側に突出する突起状の第１保持部２３ｂを有する。第１レンズホルダー２３の基端部には、第１レンズホルダー７ｅと同様にフランジ部２３ｃが形成され、第１レンズホルダー２３は、支持部材７’において第１実施例と同形状の保持板７ｄの前面にフランジ部２３ｃを介して固定される。
【００４２】
第２レンズホルダー２４は、第１レンズホルダー２３よりも小さな径の円筒形状を有するように形成され、基端部に設けられたフランジ部２４ｃを介して保持板７ｄの前面に第１レンズホルダー２３と同軸（中心軸線Ｌ０）となるように固定される。第２レンズホルダーの先端部は、第１レンズホルダー２３の先端部２３ａよりも後方に位置し、内側に突出する突起状の第２保持部２４ｂを有する。主投影レンズ９は、第１保持部２３ｂと第２保持部２４ｂで挟持されることによってレンズホルダー２２に固定される。
【００４３】
第１レンズホルダー２３は、透明または半透明の樹脂やガラスによって図７に示すような形状を作り、前面の左右の一部以外をマスク処理することで形成される。マスク処理されなかった前面の左右一部は、光を透過させるインナーレンズとなる光通過部（２７、２８）としてそれぞれ形成される。尚、光通過部（２７，２８）は、該当箇所に孔を設けてインナーレンズの無い光通過孔としてもよいし、設けた孔に両凸レンズ等からなる投影レンズを固定して通過する補助光源ユニットの光を屈折制御させても良い。
【００４４】
また、第１レンズホルダー２３の内周と第２レンズホルダー２４の外周に囲まれた領域には、補助灯室（２９，３０）となる空きスペースが形成され、補助光源ユニット（２５，２６）は、図６及び図７に示すように補助灯室（２９、３０）の内側に配置される。その際、図６に示す通り、補助光源ユニット（２５，２６）は、車両用前照灯２１の正面から矢視Ｄ１方向に見て主投影レンズ９の外周９ｃの外側に配置される。主光源５から出射して主反射鏡６の主反射面６ａに反射される光Ｌ１が通過する、主反射面６ａと主投影レンズ９の光入射面９ｂとの対向領域は、図７において符号２４ａで示す第２レンズホルダー２４の内側領域となるため、補助灯室（２９，３０）内に配置された補助光源ユニット（２５，２６）は、反射光Ｌ１を阻害せず、第１レンズホルダー２３の内側に配置されることで前照灯ユニット４’及び車両用前照灯２１をコンパクト化する。
【００４５】
図６に示すように補助光源ユニット（２５，２６）は、それぞれＬＥＤやレーザーダイオード等の発光素子からなる補助光源（２５ａ、２６ａ）を２つずつ有し、かつ２つずつ設けられた補助光源（２５ａ、２６ａ）に個別に対応する補助反射鏡（２５ｂ、２６ｂ）を２つずつ有する。尚、補助光源と補助反射鏡の組み合わせは、本実施例のように２組に限られない。
【００４６】
図７の補助光源（２５ａ，２５ｂ）は、正面から矢視Ｄ１方向に見て主投影レンズ９の外周の左右に位置するように第１レンズホルダー２３の内周にそれぞれ固定された台座（２３ｄ、２３ｄ）に第２レンズホルダー２４を挟んで互いに対向するように固定される。補助反射鏡（２５ｂ、２６ｂ）は、それぞれ楕円形状の補助反射面（２５ｃ、２６ｃ）を有し、第１レンズホルダー２３の先端部２３ａの近傍の内側から後方に伸びるように一体化される。補助反射面（２５ｃ、２６ｃ）は、対応する補助光源（２５ａ，２６ａ）と光通過部（２７，２８）の双方に対向するように補助灯室（２９、３０）内に配置される。また、灯室Ｓ内には、主投影レンズ９の周囲を前方から目隠しするエクステンションリフレクター３１が設けられる。尚、補助光源ユニット（２５，２６）は、図７に示すように一対のエイミングスクリュー（１２、１２）を回動させることで前照灯ユニット４’と一体になって傾動する。
【００４７】
図６及び図７に示すように車両用前照灯２１の正面から見て主投影レンズ９の左側に配置された補助光源ユニット２５は、補助光源２５ａからの出射光Ｌ３を補助反射鏡２５ｂの補助反射面２５ｃによってインナーレンズである光通過部２７から左斜め前方に反射させるように補助反射面２５ｃを形成することで左用のコーナリングランプとして機能させることが出来る。また、正面から見て主投影レンズ９の右側に配置された補助光源ユニット２６は、補助光源２６ａからの出射光Ｌ４を補助反射鏡２６ｂの補助反射面２６ｃによってインナーレンズである光通過部２８から前方に反射させるように補助反射面２６ｃを形成することでデイタイム用ランニングランプとして機能させてもよい。尚、補助光源ユニット（２５，２６）の機能は、これらに限られず、アザーランプ、アクセサリランプ、ベンディングランプ等の多種多様なランプとすることが出来る。
【符号の説明】
【００４８】
１                        車両用前照灯
４                        前照灯ユニット
５                        主光源
６                        主反射鏡
６ａ                      主反射面
７                        支持部材
９                        主投影レンズ
９ａ                      補助投影レンズ
９ｃ                      外周
１０                      コーナリングランプ用の補助光源ユニット
１１                      光通過部
１５                      対向領域の外側領域
２１                      車両用前照灯
２４ａ                    対向領域
２５                      コーナリングランプ用の補助光源ユニット
２６                      デイタイムランニングランプ用の補助光源ユニット
２７                      光通過部
２８                      光通過部
Ｌ１１〜Ｌ１４            反射光
【図１】
2018190633.tif 000003
【図２】
2018190633.tif 000004
【図３】
2018190633.tif 000005
【図４】
2018190633.tif 000006
【図５】
2018190633.tif 000007
【図６】
2018190633.tif 000008
【図７】
2018190633.tif 000009